(57)【要約】【課題】棚板に照明器具を設けても外観よく給電できると共に棚板を取り付けたり取り外したりしても配線処理をすることなく給電できる棚板取り付け構造を提供する。【解決手段】長手方向を水平に向けた取り付けレール１を複数上下に平行に配置して取り付けレール１を壁面２に取着し、上下の取り付けレール１間に壁板３を取り付け、棚板４の背部の上端を取り付けレール１に引っ掛けると共に棚板４の背部の下端を壁板３または取り付けレール１に当接させて棚板４を保持した棚板取り付け構造である。棚板４に他の棚板４を照らす照明器具５を装着すると共に棚板４の背部に照明器具５と電気的に繋がった接続端子６を設ける。給電される導電板７を取り付けレール１内に取り付けレール１の長手方向に亙るように装着する。上記接続端子６を取り付けレール１内の導電板７に接触させる。【選択図】　　　　図１
2004081521.tif 000002
【特許請求の範囲】
【請求項１】
長手方向を水平に向けた取り付けレールを複数上下に平行に配置して取り付けレールを壁面に取着し、上下の取り付けレール間に壁板を取り付け、棚板の背部の上端を取り付けレールに引っ掛けると共に棚板の背部の下部を壁板または取り付けレールに当接させて棚板を保持した棚板取り付け構造において、棚板に他の棚板を照らす照明器具を装着すると共に棚板の背部に照明器具と電気的に繋がった接続端子を設け、給電される導電板を取り付けレール内に取り付けレールの長手方向に亙るように装着し、上記接続端子を取り付けレール内の導電板に接触させたことを特徴とする棚板の取り付け構造。
【発明の詳細な説明】
【０００１】
【発明の属する技術分野】
本発明は、壁面に沿って棚板を取り付けて各種物品を設置するラックを構成するものに関するものである。
【０００２】
【従来の技術及び発明が解決しようとする課題】
従来、壁面に棚板を取り付けてオーディオビジュアル機器等を設置したりするのに用いるラックを組み立てる場合、次のような構造を採用していた。長手方向を水平に向けた取り付けレールを複数上下に平行に配置して取り付けレールを壁面に取着し、上下の取り付けレール間に壁板を取り付け、棚板の背部の上端を取り付けレールに引っ掛けると共に棚板の背部の下部を壁板または取り付けレールに当接することで棚板を保持している。そして棚板の上にオーディオビジュアル機器等を設置したりして使用するようになっている。
【０００３】
かかるラックで棚板に他の棚板を照らす照明を設ける場合、棚板に照明器具を装着し、天井や壁面等から棚板に沿わせたりした配線を照明器具に接続して照明器具に給電するようになっている。ところが、このような配線で照明器具に給電する場合、配線が露見して外観が悪くなるという問題がある。また棚板を取り付けたり取り外したりする際に、一々配線処理を行う必要がある。
【０００４】
本発明は上記の点に鑑みてなされたものであり、棚板に照明器具を設けても外観よく給電できると共に棚板を取り付けたり取り外したりしても配線処理をすることなく給電できる棚板取り付け構造を提供することを課題とするものである。
【０００５】
【課題を解決するための手段】
上記課題を解決するための本発明の棚板取り付け構造は、長手方向を水平に向けた取り付けレール１を複数上下に平行に配置して取り付けレール１を壁面２に取着し、上下の取り付けレール１間に壁板３を取り付け、棚板４の背部の上端を取り付けレール１に引っ掛けると共に棚板４の背部の下端を壁板３または取り付けレール１に当接させて棚板４を保持した棚板取り付け構造において、棚板４に他の棚板４を照らす照明器具５を装着すると共に棚板４の背部に照明器具５と電気的に繋がった接続端子６を設け、給電される導電板７を取り付けレール１内に取り付けレール１の長手方向に亙るように装着し、上記接続端子６を取り付けレール１内の導電板７に接触させたことを特徴とする。棚板４の背部に照明器具５と電気的に繋がった接続端子６を設け、給電される導電板７を取り付けレール１内に取り付けレール１の長手方向に亙るように装着し、接続端子６を取り付けレール１内の導電板７に接触させたことにより、電線を配線したりなくても取り付けレール１内の導電板７を介して給電でき、配線を露呈させたりすることなく外観よく給電でき、また棚板４に取り付けたり、取り外したりしても配線処理する必要がないようにできる。
【０００６】
【発明の実施の形態】
取り付けレール１は長手方向に亙って同一断面の形状であり、押し出し成形等で形成されている。図４（ａ）に示すように取り付けレール１の背面側の基板８の上部は取り付け片９となっており、取り付け片９には取り付け穴１０を穿孔してある。基板８の前面側には内部が空洞１１となった角筒状の基台部１２を一体に形成してあり、基台部１２の上端及び下端から前方に突出するように上横片１３と下横片１４を一体に突設してある。上横片１３の上には上方に垂直に突出するようにように上嵌合片１５を一体に突設してあり、下横片１４の下には下方に垂直に突出するように下嵌合片１６を一体に突設してある。上横片１３の先端には下方に突出する引っ掛け突部１７を設けてあり、この引っ掛け突部１７の後側が上溝部１８となっており、引っ掛け突部１７の上側が前係止溝１９となっている。下横片１４の前端の上面側に引っ掛け溝２０を設けてある。
【０００７】
壁板３は左右方向に長い矩形板状に形成されており、壁板３の上端には長手方向に亙って上嵌合溝２１を穿設してあり、壁板３の下端には長手方向に亙って下嵌合溝２２を穿設してある。この壁板３は必要に応じて高級感漂う突き板仕上げをしてある。
【０００８】
取り付けレール１は図２、図３に示すように長手方向を水平に向けて複数上下に平行に配置し、取り付けレール１の取り付け片９の取り付け穴１０から固着具２５を壁面２に打入して取り付けレール１を取り付け、上下の取り付けレール１間に壁板３を配置し、壁板３の下嵌合溝２２を取り付けレール１の上嵌合片１５に嵌合すると共に壁板３の上嵌合溝２１を取り付けレール１の下嵌合片１６に嵌合することで壁面２に沿わせて壁板３が取り付けられるのであるが、実際の施工では次のように施工される。
【０００９】
壁面２に沿って最下部に位置する壁板３が配置される。この最下部の壁板３は本例の場合、下部に下嵌合溝２２がない高さの低いものである。次いで最下部の壁板３の上に最下部に位置する取り付けレール１が水平に配置され、この取り付けレール１の下嵌合片１６が最下部の壁板３の上嵌合溝２１に嵌合され、この取り付けレール１の取り付け片９の取り付け穴１０から固着具２５を壁面２に打入して取り付けレール１が取り付けられる。この最下部の取り付けレール１の上に下から２番目の壁板３が壁面２に沿わせて配置され、この壁板３の下嵌合溝２２が最下部の取り付けレール１の上嵌合片１５に嵌合される。次に下から２番目の壁板３の上に壁面２沿って下から２番目の取り付けレール１が水平に配置され、この取り付けレール１の下嵌合片１６が下から２番目の壁板３の上嵌合溝２１に嵌合され、この取り付けレール１の取り付け片９の取り付け穴１０から固着具２５が壁面２に打入して取り付けレール１が取り付けられる。次いで下から２番目の取り付けレール１の上に下から３番目の壁板３が壁面２に沿わせて配置され、この壁板３の下嵌合溝２２が下から２番目の取り付けレール１の上嵌合片１５に嵌合される。このようにして順次壁板３と取り付けレール１とが壁面２に取り付けられる。
【００１０】
最上部に取り付ける取り付けレール１は図４（ｂ）に示すように上嵌合片１５を省いてあると共に取り付け片９の前面側の最下部に後係止溝２４を有する。最上部の壁板３の上には壁面２に沿って最上部の取り付けレール１が配置され、最上部の取り付けレール１の下嵌合片１６が最上部の壁板３の上嵌合溝２１に嵌合され、この取り付けレール１の取り付け片９の取り付け穴１０から固着具２５を壁面２に打入して取り付けレール１が取り付けられる。最上部の取り付けレール１を壁面２に取り付けた後、この取り付けレール１の上に上カバー２６が取り付けられる。この上カバー２６は図４（ｃ）に示すように下方を開口せる断面コ字状であり、前部の下端に前被係止部２７を設けてあると共に後部の下端に後被係止部２８を有しており、前被係止部２７を取り付けレール１の前係止溝１９に係止すると共に後被係止部２８を取り付けレール１の後係止溝２４に係止して上カバー２６が取り付けられている。
【００１１】
取り付けレール１の長手方向の両端にはカバー止め具３０が取着されるが、このカバー止め具３０は嵌合部３１が取り付けレール１の基台部１２の空洞１１に嵌合され、この嵌合部３１から固着具３２を打入することで取り付けレール１に固定されている。側端カバー３３は取り付けレール１や壁板５の長手方向に端面に沿って上下方向に配置され、上記カバー止め具３０にて取り付けレール１に固定してある。側端カバー３３は図４（ｄ）のような断面形状に形成されており、長手方向に亙って係合溝３４を設けてある。そしてこの係合溝３４にカバー止め具３０の係合片３５を係合することで側端カバー３３を取り付けてある。
【００１２】
棚板４は左右方向に長い矩形板状に形成されており、棚板４の背面には図５に示すように固定具３６を装着してある。かかる棚板４には必要に応じて高級感漂う突き板仕上げをしてある。固定具３６の上部には上被引っ掛け部３７を設けてあり、固定具３６の下部には下被引っ掛け３８を設けてある。取り付けレール１の前方には棚板４が水平に配置され、固定具３６の上被引っ掛け部３７を取り付けレール１の上溝部１８に挿入して上被引っ掛け部３７を引っ掛け突部１７に引っ掛け係止すると共に下被引っ掛け部３８を取り付けレール１の引っ掛け溝２０に引っ掛け係止し、固定具３６の下部を取り付けレール１や壁板３に当接して棚板４が取り付けられる。
【００１３】
上記のように複数枚の棚板４が取り付けられるが、適宜の棚板４には他の棚板４を照らすためのダウンライトのような照明器具５を組み込んだものが用いられる。この照明器具５としては例えば発光ダイオード製（例えば２４Ｖ）のものが用いられる。照明器具５を組み込んだ棚板４では図１に示すように上被引っ掛け部３７と下被引っ掛け部３８とに接続端子６を夫々装着してあり、照明器具５と接続端子６を棚板４内に通したリード線３９にて接続してある。
【００１４】
照明器具５を有する棚板４を取着するための取り付けレール１内には給電用の導電板７を取り付けレール１の長手方向に亙って装着してある。この導電板７は上溝部１８と引っ掛け溝２０とに装着してある。天井や床下から給電する給電線は側端カバー３３内に挿通してあり、この給電線３３を導電板７に接続してある。照明器具５を有する棚板４も上被引っ掛け部３７を取り付けレール１の上溝部１８に挿入して上被引っ掛け部３７を引っ掛け突部１７に引っ掛け係止すると共に下被引っ掛け部３８を取り付けレール１の引っ掛け溝２０に引っ掛け係止して取り付けられるのであるが、上記のように取り付けることにより接続端子６が導電板７に接触して電気的に接続されて給電される状態となる。このような構造を採用することで電線を配線したりなくても取り付けレール１内の導電板７を介して給電でき、配線を露呈させたりすることなく外観よく給電でき、また棚板４に取り付けたり、取り外したりしても配線処理する必要がないようにできる。
【００１５】
図６はリビンクの壁に棚板４を取り付けてラックを組み立てた一例を示すものである。この例では最上部の棚板４に照明器具５を組み込んであり、上から２段目の棚板４の上面の照明ができるようになっている。上から２段目の棚板４の下面側には吊り戸棚４０を装着してあり、この吊り戸棚４０にＣＤ、小物入れ等を収納できるようになっている。最下段の棚板４の上にはテレビ４１のようなオーディオビジュアル機器が設置してあり、最下段の棚板４の下面側にはハンギング式の引き出し４２を装着してある。引き出し４２の下方には空間を確保してあり、広がりのある部屋の外観を演出してある。
【００１６】
また図７は書斎の壁に棚板４を取り付けてラックを組み立てた一例を示すものである。この例では部屋の隅を介してＬ字状に棚板４を設けてある。また最下部の棚板４として装飾性のあるカウンター４ａを装着してあり、カウンター４ａの前端を支持脚４３にて支持してある。上から３番目の壁板３としてはコルクボード３ａを用いてあり、メモなどを貼ることができるようになっている。上から４番目の壁板３として照明器具組み込みの背面パネル３ｂを装着してあり、カウンター４ａの上の照明をしたりできるようになっている。また上から４番目の壁板３としてバインダー機能付きの機能パネル３ｃを装着してあり、写真などを挟んで飾ることができるようになっている。また取り付けレール１には取り付けレールの機能を利用して額４５を取り付けてあり、額４５に絵画等を飾ることができるようになっている。
【００１７】
また上記照明器具組み込みの背面パネル３ｂは図８のように構成されている。アクリル樹脂等で形成せる透光性のある基板４６の背面の上下にはＡＢＳ樹脂等で形成せる上枠４７と下枠４８とを装着してあり、上枠４７には上嵌合溝２１を穿設してあり、下枠４８には下嵌合溝２２を穿設してある。上嵌合溝２１は下嵌合溝２２より十分に深くしてある。基板４６の背面側で上枠４７の下及び下枠４８の上には照明器具５０を装着してあり、基板４６の前面側の上下には上枠４７や下枠４８や照明器具５０に対応する部分を隠すように木目柄シートのような化粧シート５１を貼着してある。
【００１８】
このような背面パネル３ｂは図９に示すように上下の取り付けレール１間に取り付けられるものであり、上に位置する取り付けレール１の下嵌合片１６に上嵌合溝２１が嵌合され、下に位置する取り付けレール１の上嵌合片１５に下嵌合溝２２が嵌合される。このとき上嵌合溝２１が下嵌合溝２２より十分に深いために背面パネル３ｂをけんどん式で取り付けることができ、背面パネル３ｂの着脱が容易にできる。上記のように背面パネル３ｂを取り付けると、基板４６の化粧シート５１間から光が透光されて間接的に照明される。
【００１９】
また図１０はダイニングルームの壁に棚板４を取り付けてラックを構成したものである。壁面２には出窓のような窓５３を設けてあり、この窓５３の部分で窓５３を跨ぐように棚板４を取り付けてある。窓５３のレベルと対応する高さの部分では棚板４としてガラス棚４ｂを装着してあり、この上に置いた装飾物を引き立てることができるようになっている。最下部の棚板４として装飾性のあるカウンター４ｃを取り付けてあり、カウンター４ｃの前端を支持脚５４にて支持してあり、このカウンター４ｃの前に椅子５５を置いてカウンター４ｃをテーブルとして用いることができるようになっている。
【００２０】
【発明の効果】
本発明は叙述の如く棚板に他の棚板を照らす照明器具を装着すると共に棚板の背部に照明器具と電気的に繋がった接続端子を設け、給電される導電板を取り付けレール内に取り付けレールの長手方向に亙るように装着し、上記接続端子を取り付けレール内の導電板に接触させたので、電線を配線したりなくても取り付けレール内の導電板を介して給電でき、配線を露呈させたりすることなく外観よく給電できものであり、また棚板に取り付けたり、取り外したりしても配線処理する必要がないようにできるものである。
【図面の簡単な説明】
【図１】本発明の実施の形態の一例の照明器具を有する棚板を取り付ける状態を説明する分解断面図である。
【図２】同上の取り付けレールや壁板を取り付ける状態を説明する一部分解斜視図である。
【図３】同上の取り付けレールや壁板を取り付けた状態の断面図である。
【図４】（ａ）は同上の取り付けレールの断面図、（ｂ）は同上の最上部に設ける取り付けレールの断面図、（ｃ）は同上の上カバーの断面図、（ｄ）は同上の側端カバーの断面図である。
【図５】同上の取り付けレールに棚板を取り付ける状態を説明する分解断面図である。
【図６】同上のリビングでラックを組み立てた状態の斜視図である。
【図７】同上の書斎でラックを組み立てた状態の斜視図である。
【図８】同上の照明器具組み込みの背面パネルを示す斜視図である。
【図９】同上の照明器具組み込みの背面パネルを取り付けた状態を示す断面図である。
【図１０】同上のダイニングでラックを組み立てた状態の斜視図である。
【符号の説明】
１　取り付けレール
２　壁面
３　壁板
４　棚板
５　照明器具
６　接続端子
７　導電板
【図１】
2004081521.tif 000003
【図２】
2004081521.tif 000004
【図３】
2004081521.tif 000005
【図４】
2004081521.tif 000006
【図５】
2004081521.tif 000007
【図６】
2004081521.tif 000008
【図７】
2004081521.tif 000009
【図８】
2004081521.tif 000010
【図９】
2004081521.tif 000011
【図１０】
2004081521.tif 000012